(57)【要約】      （修正有）【課題】ハイト調整を容易に行うことのできるパンチ金型を提供する。【解決手段】パンチ刃部５Ｂを備えたパンチボディ５を上下動自在に嵌入したパンチガイド３の内周面に、パンチボディ５に備えたキー７を係合する上下方向のキー溝９を備え、パンチガイド３の上面にリテーナカラー１１を回動固定自在に備え、パンチボディ５の上部に備えたパンチドライバ１３を、リテーナカラー１１に上下動自在に貫通して備えると共に、パンチドライバ１３の上端側に螺合したパンチヘッド１９とリテーナカラー１１との間に、パンチドライバ１３を上方向へ付勢する弾性部材２５を備えたパンチ金型であって、パンチガイド３の上面に、パンチガイド３の内径よりも大径の円形凹部の内周面に、放射方向の複数の凹部３９を適宜間隔に備え、リテーナカラー１１に径方向へ移動自在かつ外方向へ付勢して備えた押しボタン４３に、凹部３９に係合自在な係止部４５を備えている。【選択図】図１
2014161912.tif 000002
【特許請求の範囲】
【請求項１】
下端部にパンチ刃部を備えたパンチボディを上下動自在に嵌入した筒状のパンチガイドの内周面に、前記パンチボディに備えたキーを係合する上下方向のキー溝を備え、前記パンチガイドの上面にリテーナカラーを回動固定自在に備え、前記パンチボディの上部に備えたパンチドライバを、前記リテーナカラーに上下動自在に貫通して備えると共に、前記パンチドライバの上端側に位置調節可能に螺合したパンチヘッドと前記リテーナカラーとの間に、前記パンチドライバを上方向へ付勢する弾性部材を備えたパンチ金型であって、前記パンチガイドの上面に、当該パンチガイドの内径よりも大径の円形凹部を備えると共に、この円形凹部の内周面に、放射方向の複数の凹部を周方向に適宜間隔に備え、前記リテーナカラーに径方向へ移動自在かつ外方向へ付勢して備えた押しボタンに、前記凹部に係合自在な係止部を備えていることを特徴とするパンチ金型。
【請求項２】
請求項１に記載のパンチ金型において、前記パンチガイドにおける内周面の上部側に、前記キー溝に連通した周溝を備え、前記リテーナカラーの下部に、前記パンチガイドに嵌入可能な筒状部を備え、この筒状部の外周面に、前記キー溝を通過自在かつ前記周溝に係合自在な係止突起部を備えていることを特徴とするパンチ金型。
【請求項３】
請求項１又は２に記載のパンチ金型において、前記円形凹部は、前記パンチガイドの上面に一体的に固定したリング部材の内周面であることを特徴とするパンチ金型。
【請求項４】
下端部にパンチ刃部を備えたパンチボディを上下動自在に嵌入した筒状のパンチガイドの内周面に、前記パンチボディに備えたキーを係合する上下方向のキー溝を備え、前記パンチガイドの上面にリテーナカラーを回動固定自在に備え、前記パンチボディの上部に備えたパンチドライバを、前記リテーナカラーに上下動自在に貫通して備えると共に、前記パンチドライバの上端側に位置調節可能に螺合したパンチヘッドと前記リテーナカラーとの間に、前記パンチドライバを上方向へ付勢する弾性部材を備えたパンチ金型であって、前記パンチガイドの上面に複数の凹部を周方向に適宜間隔に備え、前記凹部に係合離脱自在な係止部を備えた押しボタンを、前記リテーナカラーに備えていることを特徴とするパンチ金型。
【発明の詳細な説明】
【技術分野】
【０００１】
本発明は、パンチプレスにおけるパンチホルダに装着して使用するパンチ金型に係り、さらに詳細には、例えばパンチ刃部の研磨加工を行った後におけるハイト調整を、安全にかつ容易に行うことができるパンチ金型に関する。
【背景技術】
【０００２】
例えば、タレットパンチプレスなどのごときパンチプレスにおけるパンチホルダ（上部タレット）に装着して使用するパンチ金型においては、当該パンチ金型におけるパンチボディのパンチ刃部が摩耗すると、パンチ刃部の研磨が行われている。このように、パンチ刃部の研磨を行うと、パンチ金型におけるパンチヘッドから前記パンチ刃部までの長さ寸法が短くなるので、前記パンチヘッドとパンチボディとの螺合関係を調節してハイト調整を行っている（例えば特許文献１参照）。
【先行技術文献】
【特許文献】
【０００３】
【特許文献１】特開２００９−２３３７５２号公報
【発明の概要】
【発明が解決しようとする課題】
【０００４】
前記特許文献１に記載の構成においては、下端部にパンチ刃部を備えたパンチボディを上下動自在に嵌入した筒状のパンチガイドの上部にリテーナカラーを回動固定自在に備え、このリテーナカラーを上下動自在に貫通したパンチボディの上端部に調節可能に螺合したパンチヘッドと前記リテーナカラーとの間に、強力なストリッパースプリングを弾装した構成である。
【０００５】
そして、ハイト調整を行うときには、キーを介して回転方向に一体的な前記パンチガイド、パンチボディに対して前記リテーナカラー、パンチヘッドを相対的に回動する構成である。なお、前記パンチガイドと前記リテーナカラーは、常態においては一体的に固定してあり、ハイト調整を行うときに上記固定を解除する構成である。すなわち、前記パンチガイドの上部には、前記リテーナカラーに周方向に適宜間隔に形成した凹部に係合離脱自在なストッパーピンを備えた押しボタンが、径方向（放射方向）へ移動自在かつ外方向へ付勢して備えられている。
【０００６】
したがって、ハイト調整を行うときには、付勢力に抗して前記押しボタンを押圧する。そして、パンチガイドに対するリテーナカラーの固定を解除して、パンチガイドに対してリテーナカラーを相対的に回動することになる。よって、前記パンチボディとパンチヘッドとの螺合関係が調節されて、ハイト調整が行われることになる。
【０００７】
ところで、ハイト調整を行うときには、パンチガイドの下端側を上側にして、パンチガイドの下端部に対するパンチボディにおけるパンチ刃部の出入を目視し乍ら行うことが普通である。したがって、例えばパンチガイドの下端部側が上側になるように傾斜して左手でパンチガイドを把持し、かつ左手の指で前記押しボタンを押すことになる。そして、右手でもってパンチヘッド側を保持して、パンチヘッド側を回動することになる。
【０００８】
上述のように、ハイト調整を行うとき、誤ってパンチヘッド側から右手を離すと、パンチボディがパンチガイドから抜け出して落下することがある。
【課題を解決するための手段】
【０００９】
本発明は、上述のごとき問題に鑑みてなされたもので、下端部にパンチ刃部を備えたパンチボディを上下動自在に嵌入した筒状のパンチガイドの内周面に、前記パンチボディに備えたキーを係合する上下方向のキー溝を備え、前記パンチガイドの上面にリテーナカラーを回動固定自在に備え、前記パンチボディの上部に備えたパンチドライバを、前記リテーナカラーに上下動自在に貫通して備えると共に、前記パンチドライバの上端側に位置調節可能に螺合したパンチヘッドと前記リテーナカラーとの間に、前記パンチドライバを上方向へ付勢する弾性部材を備えたパンチ金型であって、前記パンチガイドの上面に、当該パンチガイドの内径よりも大径の円形凹部を備えると共に、この円形凹部の内周面に、放射方向の複数の凹部を周方向に適宜間隔に備え、前記リテーナカラーに径方向へ移動自在かつ外方向へ付勢して備えた押しボタンに、前記凹部に係合自在な係止部を備えていることを特徴とするものである。
【００１０】
また、前記パンチ金型において、前記パンチガイドにおける内周面の上部側に、前記キー溝に連通した周溝を備え、前記リテーナカラーの下部に、前記パンチガイドに嵌入可能な筒状部を備え、この筒状部の外周面に、前記キー溝を通過自在かつ前記周溝に係合自在な係止突起部を備えていることを特徴とするものである。
【００１１】
また、前記パンチ金型において、前記円形凹部は、前記パンチガイドの上面に一体的に固定したリング部材の内周面であることを特徴とするものである。
【００１２】
また、下端部にパンチ刃部を備えたパンチボディを上下動自在に嵌入した筒状のパンチガイドの内周面に、前記パンチボディに備えたキーを係合する上下方向のキー溝を備え、前記パンチガイドの上面にリテーナカラーを回動固定自在に備え、前記パンチボディの上部に備えたパンチドライバを、前記リテーナカラーに上下動自在に貫通して備えると共に、前記パンチドライバの上端側に位置調節可能に螺合したパンチヘッドと前記リテーナカラーとの間に、前記パンチドライバを上方向へ付勢する弾性部材を備えたパンチ金型であって、前記パンチガイドの上面に複数の凹部を周方向に適宜間隔に備え、前記凹部に係合離脱自在な係止部を備えた押しボタンを、前記リテーナカラーに備えていることを特徴とするものである。
【発明の効果】
【００１３】
本発明によれば、パンチガイドの上面に複数の凹部を備え、上記凹部に係合自在な係止部を備えた押しボタンを、リテーナカラーに備えた構成である。したがって、例えば右手でパンチヘッド側を把持し、かつ右手の指で前記押しボタンを押す。そして、パンチ刃部側を上側にして、目視し乍らパンチガイドを左手で相対的に回動操作することになる。よって、パンチガイドからパンチボディ等が相対的に抜け出るようなことがなく、前述したごとき問題を解消し得るものである。
【図面の簡単な説明】
【００１４】
【図１】本発明の実施形態に係るパンチ金型の断面説明図である。
【図２】リング部材の説明図である。
【図３】キーとキー溝と係止突出部との位置関係を示す説明図である。
【発明を実施するための形態】
【００１５】
図１を参照するに、本発明の実施形態に係るパンチ金型１は、例えばタレットパンチプレスなどのごときパンチプレスにおけるパンチホルダ（タレットパンチプレスの場合は上部タレットが相当する）に装着して使用されるものである。このパンチ金型１は、一般的なパンチ金型と同様に、前記パンチホルダに備えたパンチ装着穴に上下動自在に嵌合支持される円筒形状のパンチガイド３を備えている。
【００１６】
上記パンチガイド３には、下端部にパンチ刃部５Ｂを備えたパンチボディ５が上下動自在に嵌入してある。このパンチボディ５には、一般的なパンチ金型と同様に、キー７が備えられており、このキー７は、前記パンチガイド３の内周面に形成した上下方向のキー溝９に上下動自在に係合してある。したがって、パンチボディ５とパンチガイド３との相対的な回動は規制されている。
【００１７】
前記パンチガイド３の上面には円環状形のリテーナカラー１１が着脱可能に備えられている。そして、前記パンチボディ５の上部に一体的に又は一体に備えたパンチドライバ１３が前記リテーナカラー１１を上下動自在に貫通してあり、このパンチドライバ１３の上部には、ストリッパーユニット１５が備えられている。
【００１８】
より詳細には、前記ストリッパーユニット１５は、前記パンチドライバ１３の上端部に形成した雄ねじ部１７に上下調節可能に螺合したパンチヘッド１９を備えている。このパンチヘッド１９には下方向に長く形成したスリーブ２１が備えられている。このスリーブ２１の外周には、前記リテーナカラー１１の上面に一体的に備えたスプリング座２３が上下動自在に嵌合してあり、このスプリング座２３と前記パンチヘッド１９との間には、ストリッパースプリングとして弾性部材２５が弾装してある。なお、前記スリーブ２１は、前記スプリング座２３に対して上下動のみ自在に嵌入してあって、スプリング座２３とスリーブ２１との相対的な回動は規制された構成である。そして、前記スリーブ２１の下端部付近に備えたスナップリング等のごときストッパ２７によって、相対的な上下方向への抜け出しを防止されている。
【００１９】
前記リテーナカラー１１の下面には、前記パンチガイド３に上側から嵌合（嵌入）可能な円筒状の下方突出部２９が備えられており、この下方突出部２９における外周面の一部には、前記パンチガイド３の内周面に形成した環状の係止溝（周溝）３１に係合自在な係止突出部３３が備えられている。前記係止突出部３３の周方向への長さ寸法は、前記パンチガイド３における前記キー溝９の幅寸法より小さく形成してある。
【００２０】
上記構成より、前記係止溝３１に前記係止突出部３３が係合した状態においては、パンチガイド３に対するリテーナカラー１１の上方向への抜け出しは阻止（規制）された状態にある。そして、前記パンチガイド３に対してリテーナカラー１１を相対的に回動して、前記係止突出部３３を前記キー溝９の位置に位置決めすると、リテーナカラー１１は、パンチガイド３から上方向に抜け出すことができるものである。既に理解されるように、リテーナカラー１１は、前記パンチガイド３に対して回動固定可能に備えられているものである。
【００２１】
すなわち、前記リテーナカラー１１と前記パンチガイド３の上面には、当該パンチガイド３に対してリテーナカラー１１の回動を許容自在、また回動を固定自在なロック機構３５が備えられている。より詳細には、前記パンチガイド３の上面にはリング部材３７が、ピン又は取付ねじなどの固定具（図示省略）を介して一体的に備えられている。図２に示すように、前記リング部材３７の内径３７Ｒは前記パンチガイド３の内径３Ｒより大きな径であって、このリング部材３７の内周面には、周方向に適宜間隔でもって放射外方向に凹んだ複数の凹部３９が備えられている。すなわち、前記リング部材３７を備えたことにより、前記パンチガイド３の上面に、当該パンチガイド３の内径３Ｒよりも大径の円形凹部（内径３７Ｒの凹部）を備えた構成である。
【００２２】
そして、前記リテーナカラー１１の一部には、径方向のガイド溝４１が形成してあり、このガイド溝４１内には押しボタン４３が径方向に摺動自在に係合してある。この押しボタン４３の下部には、前記リング部材３７に形成した前記凹部３９に係合自在な係止部４５が下方向へ突出して備えられている。前記リテーナカラー１１又は前記スプリング座２３と前記押しボタン４３との間には、例えばコイルスプリング等のごとき弾性部材（図示省略）が弾装してあって、前記押しボタン４３は常に放射外方向へ付勢されている。
【００２３】
したがって、前記押しボタン４３における係止部４５は、放射外方向への付勢によって、前記リング部材３７の凹部３９に係合した状態にある。よって、常態においては、前記パンチガイド３に対するリテーナカラー１１の回動は規制された状態にある。なお、付勢力に抗して前記押しボタン４３を放射内方向（径内方向）へ押圧すると、前記リング部材３７の凹部３９から前記係止部４５が内方向へ離脱し、パンチガイド３に対してリテーナカラー１１を回動可能になるものである。
【００２４】
上述のように、前記凹部３９から前記係止部４５を内方向に離脱すると、前記係止部４５は、前記リング部材３７の内周面と前記パンチガイド３の内周面との間に位置するものである。換言すれば、前記係止部４５は、前記パンチヘッド１９のスリーブ２１が上下動する領域の外側に位置するものである。したがって、仮に、前記押しボタン４３が付勢力によって元の位置に戻らないことが生じた場合であっても、前記係止部４５とスリーブ２１とが干渉するようなことはなく、パンチガイド３に対するパンチボディ５の上下動は常に良好に保持されるものである。
【００２５】
ところで、前記パンチガイド３に対してパンチボディ５を着脱するには、付勢力に抗して前記押しボタン４３を内方向へ押圧し、リング部材３７の凹部３９から押しボタン４３の係止部４５を離脱した状態に保持する。そして、パンチガイド３に対してリテーナカラー１１を相対的に回動し、リテーナカラー１１に備えた係止突出部３３を、図３（Ｂ）に示すように、パンチガイド３３のキー溝９の位置に位置決めする。
【００２６】
上述のように、前記係止突出部３３を前記キー溝９の位置に位置決めすると、パンチボディ５に備えたキー７と前記係止突出部３３が同一位相位置に位置することになる。したがって、前記係止突出部３３及びキー７を、前記キー溝９を上下方向に通過してパンチガイド３の上方向へ移動することができる。すなわち、パンチガイド３からパンチボディ５及びリテーナカラー１１を上方向に取り外すことができるものである。
【００２７】
既に理解されるように、パンチボディ５に備えたキー７とリテーナカラー１１に備えた係止突起３３とを同一位相位置に合わせることにより、パンチガイド３に備えたキー溝９を通過して着脱することができるものである。したがって、パンチガイド３に対するパンチボディ５、リテーナカラー１１の着脱を容易に行い得るものである。
【００２８】
そして、前記パンチガイド３にパンチボディ５を嵌入してハイト調整（調節）を行うとき、パンチボディ５のパンチ刃部５Ｂを上側に保持し、パンチボディ５に対するパンチ刃部５Ｂの出入を目視し乍ら行うことができる。この際、例えば右手でもってストリッパーユニット１５側を保持し、右手の指でもって押しボタン４３を押圧する。そして、左手でもってパンチガイド３を保持して、相対的に回動することになる。
【００２９】
この際、リテーナカラー１１に押しボタン４３が備えられているので、ストリッパーユニット１５側を保持した手の指でもって押しボタン４３を容易に押圧操作し得るものである。したがって、パンチ刃部５Ｂを上側にして目視し乍らのハイト調整を容易に行い得るものである。上述のようにパンチ刃部５Ｂを目視するとき、前記押しボタン４３を押す側の手が下側になり、上側に位置するパンチガイド３を回動することになるので、パンチガイド３からパンチボディ５が不用意に下方向に抜け出るようなことがないものである。
【００３０】
そして、パンチボディ５に対して、パンチガイド３を相対的に回動したときには、図２（Ａ）に示すように、前記キー溝９と前記係止突起３３は異なる位相位置にある。したがって、前記ストリッパーユニット１５側を把持した手を不用意に外したような場合であっても、リテーナカラー１１に備えた係止突出部３３がパンチガイド３の周溝３１に係合した状態にあり、パンチボディ５がパンチガイド３から抜け出るようなことがないものである。
【００３１】
上述のごとき説明より理解されるように、前記ロック機構３５の一部を構成する前記押しボタン４３は、リテーナカラー１１に備えられている。したがって、パンチ金型１における下端部側を上側にして、パンチガイド３に対するパンチボディ５におけるパンチ刃部５Ｂの出入を目視しながらのハイト調整を容易に、かつ安全に行い得るものである。
【００３２】
また、前記構成においては、リテーナカラー１１に備えた係止突出部３３は、パンチボディ５に備えたキー７と共通にパンチガイド３に備えたキー溝９を上下方向に通過する構成である。したがって、係止突出部３３用の通過溝をパンチガイド３に格別に形成する必要がなく、パンチガイド３の構成の簡素化及び加工の容易化を図ることができるものである。
【００３３】
また、パンチガイド３に対してパンチボディ５、リテーナカラー１１の着脱を行うときは、パンチボディ５に備えたキー７とリテーナカラー１１に備えた係止突出部３３との位置を同一位相位置に保持する。そして、前記キー７と係止突出部３３を、パンチガイド３に備えたキー溝９に対して同時に係脱するものである。したがって、パンチガイド３に対するパンチボディ５、リテーナカラー１１の着脱を容易に行い得るものである。
【００３４】
なお、本発明は、前述したごとき実施形態に限ることなく、適宜の変更を行うことにより、その他の形態で実施可能である。すなわち、前記説明においては、パンチガイド３の上面に備えたリング部材３７に凹部３９を形成した場合について説明した。しかし、パンチガイド３の上面に円形凹部を直接形成し、この円形凹部の内周面に前記凹部３９を形成することも可能である。
【００３５】
また、前記ロック機構３５における押しボタン４３を、径方向に移動自在に備えた場合について例示した。しかし、前記押しボタンを上下方向又は周方向に移動可能な構成とすることができるものである。すなわち、押しボタンを上下方向又は周方向に移動することにより、前記凹部３９に対して係止部４５を係合離脱することも可能なものである。
【符号の説明】
【００３６】
１  パンチ金型
３  パンチガイド
５  パンチボディ
５Ｂ  パンチ刃部
７  キー
９  キー溝
１１  リテーナカラー
１３  パンチドライバ
１９  パンチヘッド
２９  下方突出部
３１  周溝（係止溝）
３３  係止突出部
３５  ロック機構
３７  リング部材
３９  凹部
４１  ガイド溝
４３  押しボタン
４５  係止部
【図１】
2014161912.tif 000003
【図２】
2014161912.tif 000004
【図３】
2014161912.tif 000005